(57)【要約】【課題】壁紙画像の取得に際し、動画の一場面の画像を容易に壁紙画像を提供する。【解決手段】通信端末２と通信可能であり、通信端末２の指示により携帯電話端末３からの要求でデータを送信可能なシステム１であり、予め動画像データが記録されたデータベース１ｂと、データベース１ｂの動画像データを、通信端末２からの要求で表示領域２２に動画として表示させる動画送出手段６と、通信端末２が表示された動画の場面から選択した画像特定情報を待ち受け、画像特定情報を受信してフレーム画像を特定する画像特定手段７と、画像特定手段７によって受信した画像特定情報に対応するフレーム画像をデータベース１ｂから取得し、壁紙画像を特定した利用者のみが知り得る所定の領域に記録する壁紙画像作成手段１３とを備える。【選択図】  図１
2004357176.tif 000002
【特許請求の範囲】
【請求項１】
通信端末と通信回線によって接続されて通信可能であり、接続された通信端末の指示により携帯電話端末からの要求でデータを送信可能なシステムであり、
予め動画像データが記録されたデータベースと、
データベースに記録された動画像データを、接続された通信端末からの要求により通信端末の表示領域の一部に動画として表示させる動画送出手段と、
通信端末が通信端末に表示された動画の場面から選択した画像特定情報を待ち受け、画像特定情報を受信することで、画像特定情報によってフレーム画像を特定する画像特定手段と、
画像特定手段によって受信した画像特定情報に対応するフレーム画像をデータベースから取得し所定の領域に記録する壁紙画像作成手段とを備え、
壁紙画像作成手段が記録する所定の領域は、壁紙画像を特定した利用者のみが知り得る領域であることを特徴とする壁紙画像作成システム。
【請求項２】
通信端末と通信回線によって接続されて通信可能であり、接続された通信端末の指示により携帯電話端末にデータを送信可能なシステムであり、
予め動画像データが記録されたデータベースと、
データベースに記録された動画像データを、接続された通信端末からの要求により通信端末の表示領域の一部に動画として表示させる動画送出手段と、
通信端末に表示された動画の場面を選択した画像特定情報を待ち受け、画像特定情報を受信することで、特定された場面のフレーム画像を画像特定情報によって特定する画像特定手段と、
通信端末に携帯電話端末の種別である種別情報を特定させて受信する種別特定手段と、
画像特定手段によって特定したフレーム画像を壁紙画像として携帯電話端末にダウンロードさせる送信先アドレスを通信端末に特定させて送信させ、送信された送信先アドレスを受信して特定する送信先アドレス特定手段と、
画像特定手段によって受信した画像特定情報に対応するフレーム画像をデータベースから取得し、取得したフレーム画像から種別特定手段によって特定される携帯電話端末の種別に対応した壁紙画像を作成する壁紙画像作成手段と、
携帯電話端末から接続して情報を取得可能な特定領域を自動生成すると共に自動生成した特定領域に壁紙画像作成手段が作成した壁紙画像を存在させ、特定領域に接続するための領域情報アドレスを送信先アドレス特定手段によって取得した送信先アドレスへ送信する特定領域アドレス送信手段とを備え、
特定アドレス送信手段が生成する特定領域アドレスは、接続される携帯電話端末毎に異なるアドレスを生成することを特徴とする壁紙画像作成システム。
【請求項３】
通信端末と通信回線によって接続されて通信可能であり、接続された通信端末の指示により携帯電話端末からの要求でデータを送信可能なシステムであり、
予め動画像データが記録されたデータベースと、
データベースに記録された動画像データを、接続された通信端末からの要求により通信端末の表示領域の一部に動画として表示させる動画送出手段と、
通信端末が通信端末に表示された動画の場面から選択した画像特定情報を待ち受け、画像特定情報を受信することで、画像特定情報によってフレーム画像を特定する画像特定手段と、
通信端末に、画像特定手段によって特定したフレーム画像を携帯電話端末に壁紙画像としてダウンロードさせる送信先アドレス情報を特定させて送信させ、受信した送信先アドレス情報によって送信先アドレスを特定する送信先アドレス特定手段と、
画像特定手段によって受信した画像特定情報に対応するフレーム画像をデータベースから取得し、取得したフレーム画像を送信先アドレスに対応させ壁紙画像として記録する壁紙画像作成手段と、
壁紙画像作成手段が送信先アドレスに対応して記録した壁紙画像を取得可能な接続先アドレスを生成して携帯電話端末に送信する特定領域アドレス送信手段と、
携帯電話端末からの接続先アドレスへの接続を待ち受け、接続時には接続した携帯電話端末の種別を取得し、取得した携帯電話端末に対応する壁紙画像を壁紙画像作成手段によって記録した壁紙画像から生成する壁紙画像生成手段とを備え、
特定領域アドレス送信手段が生成する接続先アドレスは、通信端末毎に異なるアドレスを生成することを特徴とする壁紙画像作成システム。
【発明の詳細な説明】
【０００１】
【発明の属する技術分野】この発明は、携帯電話における待ち受け画面等の壁紙といわれている表示部に表示させる画像を提供する壁紙作成システムに関する。
【０００２】
【従来の技術】携帯電話の表示画面に表示させておく画像を壁紙と言うが、従来該壁紙は携帯電話やパソコン等の通信端末がインターネットを通じて所定の壁紙提供サイトに接続して取得する。即ち、携帯電話やパソコン等の通信端末から該壁紙提供サイトに接続すると、同サイトでは接続されている通信端末に複数枚の壁紙画像を表示させる。この時表示される画像は、複数枚を一度に画面へ表示させる。勿論、幾つかの複数のジャンル別に画像を用意し、各ＷＥＢページに夫々のジャンルの壁紙画像を表示するように構成されている。従って、壁紙提供サイトでは、サーバコンピュータに提供する複数の壁紙画像を記録しておく。
【０００３】
壁紙利用者は、接続した提供サイトの壁紙画像からマウスのクリックや所定のキーの操作によって所望の画像を選択する。
壁紙提供サイトでは、接続された通信端末から画像が選択された情報を受信すると、選択された壁紙画像を同通信端末に対し送信する。
すると、壁紙画像を選択した通信端末では、壁紙提供サイトから選択した壁紙画像を受信し同画像を得ることとなる。
【０００４】
【発明が解決しようとする課題】しかしながら、従来の壁紙提供サイトの構成では、選択可能な壁紙画像は、複数枚用意された見本画像を複数枚分一度に画面に表示して選択可能とさせるので、画面上に表示しきれない壁紙画像は他のＷＥＢページに再び見本画像を用意して通信端末に接続させ選択させなければならないので、例えばアイドル等の同一人物の見本画像でも複数ページに亙り検索しなければならないという問題点を有した。即ち、アイドル等の同一人物が踊っている動画の一場面を壁紙画像として取得するには、複数ページのＷＥＢページに亙り、夫々の動画を切り取った見本画像を用意してＷＥＢページに複数表示させて利用者に参照させなければならず、参照するたびに夫々ページ指定の操作や、見本画像の確認を行い、複数のＷＥＢページを検索した後に所望画像の選択を行わなければならず、選択に複数の操作及び時間を費やしてしまうという問題点を有した。
更に、従来の壁紙提供サイトでは、全て静止画像であるので、壁紙提供サイト側で選択したワンシーンの画像しか提供できないので、壁紙として選択できる画像の自由度が低くなってしまう問題点を有した。
【０００５】
そこでこの発明は、上記問題点に鑑み、壁紙画像の取得に際し、動画の一場面の画像を容易に壁紙画像として提供可能な壁紙画像作成システムを提供する。
【０００６】
【課題を解決するための手段】この発明は、上記課題を解決するために、
通信端末と通信回線によって接続されて通信可能であり、接続された通信端末の指示により携帯電話端末からの要求でデータを送信可能なシステムであり、予め動画像データが記録されたデータベースと、データベースに記録された動画像データを、接続された通信端末からの要求により通信端末の表示領域の一部に動画として表示させる動画送出手段と、通信端末が通信端末に表示された動画の場面から選択した画像特定情報を待ち受け、画像特定情報を受信することで、画像特定情報によってフレーム画像を特定する画像特定手段と、画像特定手段によって受信した画像特定情報に対応するフレーム画像をデータベースから取得し所定の領域に記録する壁紙画像作成手段とを備え、壁紙画像作成手段が記録する所定の領域は、壁紙画像を特定した利用者のみが知り得る領域であることを特徴とする壁紙画像作成システム、
を提供する。そして、この発明では、壁紙画像作成システムの動画送出手段が壁紙画像作成システムに接続した通信端末からの要求により予めデータベースに記録してある動画像データを通信端末へ送信する。
動画像データを受信した通信端末では、該動画像データを表示する。
通信端末は、送信された表示している動画像データの所望場面で、同場面を選択する旨を送信する。この時の選択する旨の指示は、通信端末の表示画面の特定の場所をマウスによってクリックする等により指示して行う。そして、指示された場面の画像を特定する情報を画像特定情報として壁紙画像作成システムに送信する。画像特定情報の送信は、動画像から複数特定する場合などにはリアルタイムではなく選択しておいた場面を特定する情報をまとめて送信するように構成するが、選択する都度画像特定情報を送信するように構成してもよい。
【０００７】
壁紙画像作成システムでは、通信端末から画像特定情報を受信すると、画像特定手段が、データベースに記録されている動画像データから画像特定情報によって指示された場面の画像であるフレーム画像を特定する。
次いで、画像特定手段によってフレーム画像が特定されると、該フレーム画像を壁紙画像作成手段がデータベースから取得する。そして、取得したフレーム画像は、所定の領域に記録されることとなる。この時記録される所定の領域は、壁紙画像を特定した利用者のみが知り得る領域であり、壁紙画像作成システムを利用して壁紙画像を取得する度に異なる領域が割り当てられる。勿論、利用者毎に異なる領域として割り当てても良く、利用者のみが知り得る領域となるように割り当てればよい。
又、この発明では、
通信端末と通信回線によって接続されて通信可能であり、接続された通信端末の指示により携帯電話端末にデータを送信可能なシステムであり、予め動画像データが記録されたデータベースと、データベースに記録された動画像データを、接続された通信端末からの要求により通信端末の表示領域の一部に動画として表示させる動画送出手段と、通信端末に表示された動画の場面を選択した画像特定情報を待ち受け、画像特定情報を受信することで、特定された場面のフレーム画像を画像特定情報によって特定する画像特定手段と、通信端末に携帯電話端末の種別である種別情報を特定させて受信する種別特定手段と、画像特定手段によって特定したフレーム画像を壁紙画像として携帯電話端末にダウンロードさせる送信先アドレスを通信端末に特定させて送信させ、送信された送信先アドレスを受信して特定する送信先アドレス特定手段と、画像特定手段によって受信した画像特定情報に対応するフレーム画像をデータベースから取得し、取得したフレーム画像から種別特定手段によって特定される携帯電話端末の種別に対応した壁紙画像を作成する壁紙画像作成手段と、携帯電話端末から接続して情報を取得可能な特定領域を自動生成すると共に自動生成した特定領域に壁紙画像作成手段が作成した壁紙画像を存在させ、特定領域に接続するための領域情報アドレスを送信先アドレス特定手段によって取得した送信先アドレスへ送信する特定領域アドレス送信手段とを備え、特定アドレス送信手段が生成する特定領域アドレスは、接続される携帯電話端末毎に異なるアドレスを生成することを特徴とする壁紙画像作成システム、
【０００８】
を提供する。この場合には、壁紙画像作成システムの動画送出手段が壁紙画像作成システムに接続した通信端末からの要求により予めデータベースに記録してある動画像データを通信端末へ送信する。
動画像データを受信した通信端末では、該動画像データを表示する。
通信端末は、送信された表示している動画像データの所望場面で、同場面を選択する旨を送信する。この時の選択する旨の指示は、通信端末の表示画面の特定の場所をマウスによってクリックする等により指示して行う。そして、指示された場面の画像を特定する情報を画像特定情報として壁紙画像作成システムに送信する。画像特定情報の送信は、動画像から複数特定する場合などにはリアルタイムではなく選択しておいた場面を特定する情報をまとめて送信するように構成するが、選択する都度画像特定情報を送信するように構成してもよい。
【０００９】
壁紙画像作成システムでは、通信端末から画像特定情報を受信すると、画像特定手段が、データベースに記録されている動画像データから画像特定情報によって指示された場面の画像であるフレーム画像を特定する。
又、種別特定手段では、通信端末が特定した携帯電話端末の種別を表す種別情報を取得する。
画像特定手段によってフレーム画像が特定されると、該フレーム画像を壁紙画像作成手段がデータベースから取得する。そして、取得したフレーム画像は、種別特定手段が取得した種別情報によって特定される携帯電話端末の種別に対応するように加工された壁紙画像を生成する。
一方、画像特定手段によって特定したフレーム画像を壁紙画像として利用する携帯電話端末のアドレスである送信先アドレスが通信端末によって送信されると、送信先アドレス特定手段では該送信先アドレスを特定する。
特定領域アドレス送信手段では、特定領域を自動生成すると共に自動生成した特定領域に壁紙画像作成手段が作成した壁紙画像を存在させる。又、特定領域アドレス送信手段では、携帯電話端末から接続して壁紙画像作成手段が生成して記録した壁紙画像を取得可能な接続先アドレスを生成し、携帯電話端末へ送信する。このように携帯電話端末に接続先アドレスを送信することで、通信端末によって特定した携帯電話端末に用いる壁紙画像を携帯電話端末から接続して取得可能となる。従って、送信先アドレス特定手段によって特定した携帯電話端末に対し、壁紙画像作成手段によって記録された壁紙画像が記録されている接続先アドレスを送信し、携帯電話端末では受信した接続先アドレスに接続することで、接続先アドレスに記録されている、或は、接続先アドレスに紐付けて記録されている壁紙画像にたどり着けることとなる。そして、接続先アドレスは、壁紙画像作成システムを利用する度に異なるよう自動生成するため、情報を受ける携帯電話端末も夫々異なる接続先アドレスを取得するので、通信端末が選択した壁紙画像を得ると共に他の携帯電話端末では該壁紙画像を取得することが出来ない。
更に又、この発明では、
通信端末と通信回線によって接続されて通信可能であり、接続された通信端末の指示により携帯電話端末からの要求でデータを送信可能なシステムであり、予め動画像データが記録されたデータベースと、データベースに記録された動画像データを、接続された通信端末からの要求により通信端末の表示領域の一部に動画として表示させる動画送出手段と、通信端末が通信端末に表示された動画の場面から選択した画像特定情報を待ち受け、画像特定情報を受信することで、画像特定情報によってフレーム画像を特定する画像特定手段と、通信端末に、画像特定手段によって特定したフレーム画像を携帯電話端末に壁紙画像としてダウンロードさせる送信先アドレス情報を特定させて送信させ、受信した送信先アドレス情報によって送信先アドレスを特定する送信先アドレス特定手段と、画像特定手段によって受信した画像特定情報に対応するフレーム画像をデータベースから取得し、取得したフレーム画像を送信先アドレスに対応させ壁紙画像として記録する壁紙画像作成手段と、壁紙画像作成手段が送信先アドレスに対応して記録した壁紙画像を取得可能な接続先アドレスを生成して携帯電話端末に送信する特定領域アドレス送信手段と、携帯電話端末からの接続先アドレスへの接続を待ち受け、接続時には接続した携帯電話端末の種別を取得し、取得した携帯電話端末に対応する壁紙画像を壁紙画像作成手段によって記録した壁紙画像から生成する壁紙画像生成手段とを備え、特定領域アドレス送信手段が生成する接続先アドレスは、通信端末毎に異なるアドレスを生成することを特徴とする壁紙画像作成システム、
を提供する。この壁紙画像作成システムでは、動画送出手段が壁紙画像作成システムに接続した通信端末からの要求により予めデータベースに記録してある動画像データを通信端末へ送信する。
動画像データを受信した通信端末では、該動画像データを表示する。
通信端末は、送信された表示している動画像データの所望場面で、同場面を選択する旨を送信する。この時の選択する旨の指示は、通信端末の表示画面の特定の場所をマウスによってクリックする等により指示して行う。そして、指示された場面の画像を特定する情報を画像特定情報として壁紙画像作成システムに送信する。画像特定情報の送信は、動画像から複数特定する場合などにはリアルタイムではなく選択しておいた場面を特定する情報をまとめて送信するように構成するが、選択する都度画像特定情報を送信するように構成してもよい。
【００１０】
壁紙画像作成システムでは、通信端末から画像特定情報を受信すると、画像特定手段が、データベースに記録されている動画像データから画像特定情報によって指示された場面の画像であるフレーム画像を特定する。
又、画像特定手段によって特定したフレーム画像を壁紙画像として利用する携帯電話端末のアドレスである送信先アドレスが通信端末によって送信されると、送信先アドレス特定手段が該送信先アドレスを特定する。
一方壁紙画像作成手段では、画像特定手段によって特定されたフレーム画像をデータベースから取得し、送信先アドレスに対応させて記録する。
特定領域アドレス送信手段では、携帯電話端末から接続して壁紙画像作成手段が記録した壁紙画像を取得可能な接続先アドレスを生成し、携帯電話端末へ送信する。
このように携帯電話端末に接続先アドレスを送信することで、通信端末によって特定した携帯電話端末に用いる壁紙画像を携帯電話端末から接続して取得可能となる。従って、送信先アドレス特定手段によって特定した携帯電話端末に対し、壁紙画像作成手段によって記録された壁紙画像が記録されている接続先アドレスを送信し、携帯電話端末では受信した接続先アドレスに接続することで、接続先アドレスに記録されている、或は、接続先アドレスに紐付けて記録されている壁紙画像にたどり着けることとなる。そして、接続先アドレスは、壁紙画像作成システムを利用する度に異なるよう自動生成するため、情報を受ける携帯電話端末も夫々異なる接続先アドレスを取得するので、通信端末が選択した壁紙画像を得ると共に他の携帯電話端末では該壁紙画像を取得することが出来ない。
携帯電話端末から特定領域アドレス送信手段が送信したアドレスへの接続があると、壁紙画像生成手段では接続されている携帯電話端末の種別を取得する。そして、記録されている壁紙画像から取得した携帯電話端末の種別に対応した壁紙画像を生成する。
接続している携帯電話端末では、携帯電話端末に対応するように生成された壁紙画像を取得する。
【００１１】
【発明の実施の形態】以下に、この発明の実施の形態を図面に基づき説明する。図１はこの発明の実施の形態を表す説明図であり、図２はこの発明の実施の形態の流れを表す説明図、図３乃至図５はこの発明の実施の形態を表す操作画面の説明図であり、図６はこの発明の第２の実施の形態の流れを表す説明図である。
【００１２】
１は、この発明に係る壁紙画像作成システムである。壁紙画像作成システム１は、インターネット等の通信回線網ＮＥＴに接続可能である。この実施の形態では、通信回線網ＮＥＴはインターネットからなり、壁紙画像作成システム１は通信回線網ＮＥＴであるインターネット上に開設したＷＥＢサーバである。壁紙画像作成システム１は、単独でＷＥＢサイトを形成するが、他のＷＥＢサイト内に壁紙画像作成システム１が組み込まれたＷＥＢサーバ内の１つのＷＥＢサイトとして形成されても良く、通信回線網ＮＥＴを介して通信可能に形成されればよい。
【００１３】
２は、通信回線網ＮＥＴに接続可能な通信端末である。通信端末２は複数存在し、利用者によって利用される。この実施の形態では、壁紙画像作成システム１に接続する通信端末を特に通信端末２というが、通信端末２は複数存在し、複数の通信端末２が壁紙画像作成システム１に接続可能である。この実施の形態では通信端末２は家庭等に設置されたパソコンからなるが、ＰＤＡ端末等の携帯端末でも良く、通信回線網ＮＥＴを介して壁紙画像作成システム１に接続可能で有ればどの様な端末でも良い。
【００１４】
３は、携帯電話端末である。携帯電話端末３は、夫々提供される携帯電話網のメーカにより種別が存在する。
尚、この実施の形態では詳説を避けるが、通信端末２や携帯電話端末３は詳細には電話回線網や光回線網を通してインターネットからなる通信回線網ＮＥＴに接続するものであるが、通信端末２や携帯電話端末３からの送受信の説明に際しては、電話回線網等の回線をも含めて通信回線網ＮＥＴとして説明することとする。
【００１５】
壁紙画像作成システム１は、ＷＥＢサイトを形成するシステム本体１ａと、各種データが格納されるデータベース１ｂとからなり、システム本体１ａ及びデータベース１ｂとは情報の送受信可能に接続されてなる。
システム本体１ａには、通信端末２にＷＥＢページを送信する等ＷＥＢサイトとして利用可能にするための種々の機能を備えてなり、通信端末２が壁紙画像作成システム１に接続した際には通常のインターネットＷＥＢサイトとして機能可能である。そして、システム本体１ａでは、後に詳説する図２に表すような壁紙作成提供機能を備える。
【００１６】
データベース１ｂは、システム本体１ａからの要求によって送出するための動画データが、同データを特定するためのＩＤに対応して予め複数記録されているほか、システム本体１ａがＷＥＢサイトとして機能するために必要であり、且つ、システム本体１ａには記録していないデータを予め記録されてなる。
そして、システム本体１ａでは、通信端末２からの要求によって動画を特定されると、同動画データをデータベース１ｂから取得して通信端末２へ通信回線網ＮＥＴを経由して通信可能である。
【００１７】
通信端末２は、端末として機能する端末本体２１と表示装置２２とからなり、表示装置２２は液晶ディスプレイやＣＲＴディスプレイからなる。そして、端末本体２１は通信回線網ＮＥＴを経由して種々のＷＥＢサイトに接続するための機能を備えると共に、キーボード（図示せず）やマウス（図示せず）等の入出力装置を備えてなり、壁紙画像作成システム１等のＷＥＢサイトからの指示に従って表示装置２２に画像や文字を表示させたり利用者が情報を入力してＷＥＢサイトに対して情報を送信可能である。
【００１８】
以下に、このような各装置を用いて壁紙画像作成システム１による壁紙画像の提供を図２乃至図５に基づき説明する。
図２は、壁紙画像作成システム１が通信端末２からの情報に従って携帯電話端末３へ壁紙画像のデータを送信するまでの流れを表す流れ図である。
通信端末２は、壁紙画像作成システム１の提供するサービスページに接続する。すると壁紙画像作成システム１のシステム本体１ａでは、通信端末２から接続があった旨を認知すると、壁紙画像作成システム１では、初期画面送出工程５が通信端末２に対して壁紙画像作成システム１による壁紙の提供を行うために通信端末２の表示装置２２へ表示させる画像データを端末本体２１へ送信する。端末本体２１では、図３に表すように、初期画面送出工程５によって提供されたサービス画面を表示装置２２へ表示する。図３に表す画面４は、通信端末２の表示装置２２がＷＥＢページを表示した画面であり、図中左側に、携帯電話端末３を模した画像部分４１を表示する。この携帯電話端末３を模した画像部分に、動画データによって表される画像が動画として表示される。画像部分４１の下方には、携帯電話端末３の押ボタンスイッチを模した再生開始ボタン表示４２、再生開始ボタン表示４２をマウス（図示せず）によってクリックすることで壁紙画像作成システム１から配信されて画像部分４１に動画として表示されている最中に、希望する場面を選択させるためのシャッターボタン表示４３とを表示される。再生開始ボタン表示４２は、システム本体１ａの備えるマウス（図示せず）によってクリックする（以下、単にクリックするという）等により選択されると、配信される動画を再生させる起動スイッチ表示であり、表示されている動画のうち利用者が所望の場面で再生開始ボタン表示４２を同様にクリックする等して選択すると、そのときの場面のフレーム画像が選択されることとなる。そして、選択されたフレーム画像４４（画像は図４に表示されている）を表示させる画像部分が撮影表示画面部分４５である。
【００１９】
通信端末２において、利用者が再生開始ボタン表示４２をクリックする等して選択すると、壁紙画像作成システム１のシステム本体１ａでは、画像提供希望であるクリックされた等して選択された信号を受領すると、データベース１ｂから動画データを取得して通信端末２に送信する。通信端末２では画像部分４１に動画画像が表示されることとなる。尚、初期画面送出工程５は図２では下方へ流れるだけに記載したが、実際には常に待ち受けているわけであり、通信端末２からの接続要求があったか否かを常に監視し、接続要求がなかったと判断した場合に再び初期画面送出工程５の前に戻るように構成され、接続要求があった場合に次の工程へ進む。
【００２０】
初期画面送出工程５によって初期画面である画面４が通信端末２の表示装置２２に表示されると、続けて動画送出手段である再生開始工程６が実行される。再生開始工程６は、通信端末２によって再生開始ボタン表示４２がクリックされる等して選択されると、再生要求信号として通信端末２から壁紙画像作成システム１へ送出され、壁紙画像作成システム１の再生開始工程６では要求に応えてデータベース１ｂから動画像データを取得して通信端末２に送信する。尚、再生開始工程６は、図２においては単に下方へ流れるだけに記載したが、実際には常に通信端末２から再生開始ボタン表示４２が選択されたか否かを監視しており、選択されなければ再び再生開始工程６の前に戻るように構成され、選択された場合には次の工程へ進む。
【００２１】
再生開始工程６によって動画像データが通信端末２に送信されると、図４に表すように通信端末２では、通信端末２の画像部分４１に受信した動画像データによって表される動画像を表示する。又、この実施の形態では、壁紙画像作成システム１が送信する動画データは極短い時間毎のフレーム画像データを送信可能にデータベース１ｂへ記録しておき、各フレーム画像データを纏めて通信端末２へ送信し、通信端末２によって表示装置２２に動画像を表示させているが、これはシャッターボタン表示４３によって選択された瞬間の動画像データを素早く静止画像データとして取得するためである。しかしながら、データ処理時間が短縮できるので有れば、或は特に支障がなければ、フレーム画像データの集まりとしての動画像データではなく、アナログ的な連続した動画像データとしてデータベース１ｂへ記録しておき、シャッターボタン表示４３が押された瞬間の画像を動画像データから生成するように形成しても良い。動画像データの再生は、動画像の再生を終了した場合には再び初めから同じ動画像を繰り返し再生するようにしても良く、又、この繰り返し再生を所定回数繰り返した後に終了するようにしても良い。この実施の形態では、通信端末２へ送信する動画像は、各フレーム画像を纏めて送信し通信端末２によって再生するようにしたが、リアルタイムで動画像のデータを順次送信して通信端末２が表示するようにしても良い。
【００２２】
再生開始工程６に続けて画像特定手段である画像特定工程７によって、通信端末２においてシャッターボタン表示４３がクリックされる等して選択され画像特定情報が送信されたか否かを監視する。画像特定工程７では、再生開始工程６によって通信端末２において動画像の再生が始まり、利用者が所望の場面を選択しない場合には再び画像特定工程７を繰り返すことで動画像が流れている間のどの場面でも監視可能である。そして、通信端末２ではシャッターボタン表示４３がクリックされる等して選択された場合には選択された場面の画像特定情報を壁紙画像作成システム１に送信するので、壁紙画像作成システム１のシステム本体１ａでは送信された画像特定情報に基づいてデータベース１ｂから同場面の画像を取得して通信端末２の撮影表示画面部分４５にフレーム画像４４として表示させる。この時表示させるフレーム画像４４は、この実施の形態では６場面まで選択可能なシステムとして形成しているので、画像特定工程７では６画面選択されるまでか或は図示しないが選択終了ボタンをクリックする等して選択されるまで再び画像特定工程７を繰り返す。画像特定工程７によって、通信端末２が選択した画像を撮影表示画面部分４５に表示させた状態を表す図が図５である。図５では既に最大値である６場面の画像が選択された後なので６場面の画像が表示されている。この実施の形態では、選択可能な場面数を６場面と限定したが、特に場面数を限定しなくても良く或は他の場面数としても良く、選択可能な場面数は通信に要する時間、壁紙を作成するのに要する時間、提供する際の価格等を考慮して決定する等自由である。
【００２３】
所定の場面を選択し終わると、シーン選択工程８によって通信端末２が選択した場面から携帯電話端末３の壁紙として利用したいと希望するフレーム画像４４を選択可能となるように、表示装置２２の画面４中にフレーム画像４４をクリック等によって選択可能するための選択領域４６を表示させる。それと共に、携帯電話端末３を特定させて、携帯電話端末３の種別情報を壁紙画像作成システム１が受信可能なように携帯種別を記載すると共にクリックする等によって選択可能である種別特定表示部４７を表示させ、更には、選択したフレーム画像４４を送信する携帯電話端末３のアドレスを入力可能なアドレス入力部４８、並びに、入力等した情報を送信指示させる送信ボタン表示４９を表示させる。そして、シーン選択工程８では、選択領域４６が選択され種別特定表示部４７に入力があったかどうかを判断し、両方の入力があった場合には次の工程が実行され、シーンが未選択であるか或は種別特定表示部４７が未選択であればシーン選択工程８の前に戻り再びシーン選択工程８によって選択領域４６が選択されるのを待ち受ける。
【００２４】
シーン選択工程８で少なくとも一つのシーンが選択され種別特定表示部４７が選択されると、続けてアドレス入力判断工程９が実行される。アドレス入力判断工程９では、既に通信端末２に表示されているアドレス入力部４８に送信先アドレスが入力されているか否かを判断し、アドレスの入力があった場合には次の工程が実行され、アドレスの入力が無かった場合にはアドレス入力判断工程９の前に戻り再びアドレス入力判断工程９を実行する。アドレス入力判断工程９に続けては、送信判断工程１０が実行されることとなる。尚、アドレス入力判断工程９では、入力されたアドレスが所定の形式、例えば通信回線網ＮＥＴがインターネットで有れば記載されているアドレスの中間に「＠」を含む携帯電話のメールアドレス形式を具備しているかどうかを判断するプログラムを含んでも良い。従って、この実施の形態では、携帯電話端末３を特定する送信先アドレスは携帯電話端末３に付与されている電子メールアドレスである。
【００２５】
尚、この実施の形態ではシーン選択工程８では、選択した６画面中の２画面までを選択領域によって選択可能に形成するが、６画面選択しなくとも動画像を一通り画像部分４１に表示し終えた場合には、シーン選択工程８によって選択領域４６、種別特定表示部４７、アドレス入力部４８、送信ボタン表示４９を表示して何時でも夫々の領域をクリック等により選択可能にする。
次いで実行される送信判断工程１０では、送信ボタン表示４９がクリック等によって選択されたか否かを判断し、送信ボタン表示４９が選択され、且つ、フレーム画像４４から所望の画像が選択領域４６によって選択されると共にアドレス入力部４８に入力があった場合には、次の工程を実行し、それ以外の場合には再びシーン選択工程８の前に戻りシーン選択工程８以下を繰り返す。
【００２６】
送信判断工程１０が選択されると、通信端末２から壁紙画像作成システム１に対し選択したフレーム画像４４の画像特定情報、選択されたフレーム画像４４を送信する携帯電話端末３のアドレス、携帯電話端末３の種別を特定する種別情報が送信される。
壁紙画像作成システム１では、種別特定手段（図示せず）が通信端末２から送信された画像特定情報、携帯電話端末３のアドレス及び種別情報を受信する。そして、受信した情報を開示するための特定領域であるＷＥＢページを作成する。この時生成される特定領域であるＷＥＢページは、通信端末２の要望に従い壁紙を作成するたびに異なるＵＲＬを自動生成し、自動生成したＵＲＬは、特定領域アドレス送信手段であるＵＲＬ送信工程１１によって、通信端末２から得た携帯電話端末３を特定するアドレスへ自動的に送信する。この時自動生成するＵＲＬは壁紙画像作成システム１を利用する度に異なるように生成しても良く、又、利用する顧客毎に異なるように生成しても良く、壁紙画像を取得する利用者のみが知り得るＵＲＬで有ればどのように生成してもよい。
【００２７】
そして、壁紙画像作成システム１では、ＵＲＬ送信工程１１に続けて、通信端末２から送信された画像特定情報によって動画データの内から通信端末２が選択した場面のフレーム画像情報を選出する。そして、壁紙画像作成システム１では、選出したフレーム画像情報から通信端末２によって選択された種別情報によって表される携帯電話端末３の種別に合った壁紙画像を壁紙画像作成手段（図示せず）が生成する。そして、生成した壁紙画像は、先にＵＲＬ送信工程１１において自動生成したＵＲＬのＷＥＢページに置いておく。これにより、自動生成したＵＲＬに接続した場合に、該ＵＲＬによって表されるＷＥＢページに接続した場合には、該壁紙画像を取得可能となる。
【００２８】
携帯電話端末３では、壁紙画像作成システム１からＵＲＬ送信工程１１によって自動生成したＵＲＬの情報を有するメールを受信する。そして、携帯電話端末３では同ＵＲＬによって表されるＷＥＢページに通信回線網ＮＥＴを通じて接続する。すると、該ＷＥＢページには、先に通信端末２によって選択した壁紙画像の情報が有るので、同壁紙画像の情報をクリック等によって携帯電話端末３内に取込、携帯電話端末３所定の操作によって新たな壁紙として利用する。
上記実施の形態では、携帯電話端末３の種別を特定する種別情報は通信端末２によって予め壁紙画像作成システム１へ通知されているので、再び同じ通信端末２によって利用される際には、予め携帯電話端末３の種別が入力されており、又、複数の携帯電話端末３の種別を入力可能にしておくことで、家族が夫々異なる携帯電話端末３を利用していたとしても、１度の壁紙画像作成システム１の利用で複数種の携帯電話端末３に壁紙画像を提供可能に出来る。
次いで、上記のように予め通信端末２から携帯電話端末３の種別情報を取得しておかない場合の実施の形態を図６に基づき説明する。
【００２９】
第２の実施の形態では、第１の実施の形態と異なり、図４に表すアドレス入力部を設けずに、通信端末２からは携帯電話端末３の種別情報を取得しない。
即ち、第２の実施の形態では、初期画面送出工程５乃至画像特定工程７は第１の実施の形態同様に行われる。そして、所定の場面を壁紙画像として選択し終わると、シーン選択工程８によって通信端末２が選択した場面から携帯電話端末３の壁紙として利用したいと希望するフレーム画像４４を選択可能となるように、表示装置２２の画面４中にフレーム画像４４をクリック等によって選択可能するための選択領域４６を表示させる。それと共に、選択したフレーム画像４４を送信する携帯電話端末３のアドレスを入力可能なアドレス入力部４８、並びに、入力等した情報を送信指示させる送信ボタン表示４９を表示させる。そして、シーン選択工程８では、選択領域４６が選択され入力があったかどうかを判断し、入力があった場合には次の工程が実行され、シーンが未選択であればシーン選択工程８の前に戻り再びシーン選択工程８によって選択領域４６が選択されるのを待ち受ける。従って、第２の実施の形態では、携帯電話端末３の種別の情報は、この時点では壁紙画像作成システム１へは通知されない。
【００３０】
そして、シーン選択工程８で少なくとも一つのシーンが選択されると、続けてアドレス入力判断工程９以下が実行されるが、アドレス入力判断工程９乃至ＵＲＬ送信工程１１は、携帯電話端末３の種別情報に関する処理が行われずそれ以外は第１の実施の形態同様に実行される。
そして、第２の実施の形態における壁紙画像作成システム１では、ＵＲＬ送信工程１１に続けて、通信端末２から送信された画像特定情報によって動画データの内から通信端末２が選択した場面のフレーム画像情報を選出する。
【００３１】
次いで、壁紙画像作成システム１では、選出したフレーム画像情報から壁紙画像を生成する。そして、生成した壁紙画像は、先にＵＲＬ送信工程１１において自動生成したＵＲＬのＷＥＢページに置いておく。これにより、自動生成したＵＲＬに接続した場合に、該ＵＲＬによって表されるＷＥＢページに接続した場合には、該壁紙画像を取得可能となる。尚、該壁紙画像を直接ＷＥＢページに置かなくとも、該壁紙画像の情報をＷＥＢページと紐付けしておき、ＷＥＢページにアクセスした際に該壁紙画像の情報を送出可能で有ればよい。
携帯電話端末３では、壁紙画像作成システム１からＵＲＬ送信工程１１によって自動生成したＵＲＬの情報を有するメールを受信する。そして、携帯電話端末３では同ＵＲＬによって表されるＷＥＢページに通信回線網ＮＥＴを通じて接続する。
【００３２】
すると、図６に表す受信監視工程１２によって接続を監視していた壁紙画像作成システム１が携帯電話端末３によってＷＥＢページに接続されたことを受け、接続された携帯電話端末３から得る携帯電話端末３の種別を特定する。
受信監視工程１２によって携帯電話端末３の種別情報を得ると、壁紙画像生成工程１３が、ＷＥＢページに置かれている、或は紐付けられている壁紙画像の情報から、接続されている携帯電話端末３の種別に対応した壁紙画像を自動的に生成する。この壁紙画像の自動生成では、壁紙画像作成システム１へ予め機種毎に壁紙を生成するための情報を定めておき、特定された携帯電話端末３の種別に合致する生成情報によって壁紙画像を自動生成可能にしている。従って、携帯電話端末３の種別が増えた場合には、この生成情報を新たに壁紙画像作成システム１へ付加することで対応可能である。従って、受信監視工程１２及び壁紙画像生成工程１３とが壁紙画像生成手段を形成する。
【００３３】
壁紙画像生成工程１３によって生成された壁紙画像の情報は、接続している携帯電話端末３に表示させ、携帯電話端末３によって希望されれば壁紙画像送出工程１４によって同壁紙画像の情報を携帯電話端末３に送出する。壁紙画像送出工程１４による送出時には、複数有る壁紙画像から携帯電話端末３によって選択させ、選択された壁紙画像のみを送信するようにしても良く、又、選択された壁紙画像のみを壁紙画像生成工程１３によって自動生成し壁紙画像送出工程１４によって送出するようにしても良い。
そして、携帯電話端末３が表示部に表示されクリック等によって選択して携帯電話端末３内に取込んだ壁紙画像の情報は、携帯電話端末３所定の操作によって新たな壁紙として利用する。
【００３４】
【発明の効果】上述のように、この発明によれば、動画の各フレーム画像を表示装置に複数表示しなくともよく、表示される動画のうち所望するシーンを容易に選択可能であり、携帯電話端末の壁紙を動画の１シーンから容易に抜粋して利用可能となる。そして、動画として表示される画像のシーンを選択できるので、動画を構成している複数の静止画像から選択できるので、選択の自由度が広がるという効果を有する。
【図面の簡単な説明】
【図１】この発明の実施の形態を表す説明図
【図２】この発明の実施の形態の流れを表す説明図
【図３】この発明の実施の形態の操作画面の説明図
【図４】この発明の実施の形態の操作画面の説明図
【図５】この発明の実施の形態の操作画面の説明図
【図６】この発明の第２の実施の形態の流れを表す説明図
【符号の説明】
ＮＥＴ  通信回線網
１      壁紙画像作成システム
１ａ    システム本体
１ｂ    データベース
２      通信端末
２１    端末本体
２２    表示装置
３      携帯電話端末
４      画面
４１    画像部分
４２    再生開始ボタン表示
４３    シャッターボタン表示
４４    フレーム画像
４５    撮影表示画面部分
４６    選択領域
４７    種別特定表示部
４８    アドレス入力部
４９    送信ボタン表示
５      初期画面送出工程
６      再生開始工程
７      画像特定工程
８      シーン選択工程
９      アドレス入力判断工程
１０    送信判断工程
１１    ＵＲＬ送信工程
１２    受信監視工程
１３    壁紙画像生成工程
１４    壁紙画像送出工程
【図１】
2004357176.tif 000003
【図２】
2004357176.tif 000004
【図３】
2004357176.tif 000005
【図４】
2004357176.tif 000006
【図５】
2004357176.tif 000007
【図６】
2004357176.tif 000008